(57)【要約】      （修正有）【課題】誤警報を防止するための自動印刷機能を禁止中に外部から受信した印刷データを、自装置の印刷データの使用目的を考慮した転送条件を設定して受信データの蓄積処理、転送処理を適切に判断して自動印刷禁止中にデータ受信を行うことができる画像形成装置およびその制御方法を提供する。【解決手段】画像形成装置３００は、警備システム端末２０から警備センサ６０の作動通知を受信すると自動印刷機能の禁止をはじめ警備センサ６０に反応する動作の禁止制御、省エネルギー制御を行う。公衆回線７０、ネットワーク５０を介して受信した印刷データに対しては、転送条件に基づいて転送、蓄積処理のいずれを実施するか判断する。警備センサ６０の作動が解除された場合、蓄積データの印刷を再開し、さらに、転送したデータにダウンロート印刷の設定がある場合、転送先のファイルサーバ９１、メールサーバ９２から転送データを再取得して印刷処理を行う。【選択図】図１
2006272619.tif 000002
【特許請求の範囲】
【請求項１】
警備センタへの警報通知機能を具備する警備システム端末に接続された画像形成装置において、
前記警備システム端末から送信された警報ステータス情報を受信するステータス情報受信手段と、
外部から印刷データを受信する印刷データ受信手段と、
前記ステータス情報受信手段で受信した警報ステータス情報に対応して印刷抑制モードに制御する制御手段と、
前記制御手段で前記印刷抑制モード制御されている状態で前記印刷データ受信手段により印刷データを受信した場合は、該印刷データを予め設定された転送先へ転送する転送手段と
を具備することを特徴とする画像形成装置。
【請求項２】
前記転送手段は、
前記印刷データの転送先に応じた該印刷データをフォーマット変換して転送する
ことを特徴とする請求項１記載の画像形成装置。
【請求項３】
前記転送手段は、
前記印刷データの転送先に応じた転送プロトコルで転送する
ことを特徴とする請求項１または２記載の画像形成装置。
【請求項４】
前記印刷データ受信手段により受信した印刷データを記憶する記憶手段
を更に具備し、
前記転送手段は、
前記記憶手段の記憶残量に対応して前記印刷データの転送を行うか否かの制御を行う
ことを特徴とする請求項１乃至３のいずれかに記載の画像形成装置。
【請求項５】
警備センタへの警報通知機能を具備する警備システム端末に接続され、前記警備システム端末から送信された警報ステータス情報を受信するステータス情報受信手段と、外部から印刷データを受信する印刷データ受信手段と、前記ステータス情報受信手段で受信した警報ステータス情報に対応して印刷抑制モードに制御する制御手段とを具備する画像形成装置の制御方法であって、
前記制御手段で前記印刷抑制モード制御されている状態で前記印刷データ受信手段により印刷データを受信した場合は、該印刷データを転送手段により予め設定された転送先へ転送する
ことを特徴とする画像形成装置の制御方法。
【発明の詳細な説明】
【技術分野】
【０００１】
本発明は、警備システムから受信する警備センサの作動、作動解除通知にもとづいて動作制御を行う画像形成装置およびその制御方法に関し、警備センサの作動により自動印刷機能を禁止した  状態で外部から印刷データを受信した場合の転送、蓄積処理、および、自動印刷機能の禁止解除後における転送、蓄積した文書を印刷する技術に関する。
【背景技術】
【０００２】
画像形成装置は、操作部からの禁止設定操作によって複合機のコピー、ファクシミリ機能、スキャナ機能を、個別に禁止する技術として特許文献１に記載された「原稿読取記憶装置」がある。
【０００３】
管理サーバにより複合機に搭載した複数のアプリケーションの実行を個別に制御する技術として特許文献２に記載された「アプリ実行制御システム、アプリ実行制御方法およびその方法をコンピュータに実行させるプログラムを記録したコンピュータ読み取り可能な記憶媒体」がある。
【特許文献１】特開２００４−０８８２７４号公報。
【特許文献２】特開２００２−１０８４７５号公報。
【発明の開示】
【発明が解決しようとする課題】
【０００４】
自動印刷禁止中に受信した印刷データを蓄積すると、蓄積した領域サイズ無くなってしまい、新たに受信した印刷データを蓄積することができなくなり、受信した印刷データを廃棄、受信禁止の状態に陥る危険がある。
【０００５】
また、蓄積領域が僅少となって新たな文書を受信蓄積できない状態で電源が入ったままの状態とするのは電力の無駄使いである。
【０００６】
また、自動印刷禁止中は、受注業務などに使用する特定の回線に受信した文書などに対する印刷処理ができないと業務に支障をきたすといった問題がある。
【０００７】
また、自動印刷禁止中に受信する印刷データのサイズは大小様々である一方、蓄積領域は有限であり、データサイズが大きな文書を先に受信してしまうと、その後、保持できる文書数が少なくなってしまうといった問題ある。
【０００８】
また、外部に転送した印刷データは、転送先がプリンタ、ファクシミリ機の場合は印刷されるが、転送先がファイルサーバ、メールサーバなどの場合、別途個別に対象文書の印刷を指示する必要がある。
【０００９】
よって、本発明は、警備センサの作動に伴って自動印刷機能を禁止にした状態で受信したデータを、蓄積領域の空き容量、受信データの緊急性を考慮した転送設定を設け設定した転送条件に基づいて、転送、蓄積の判断を行うとともに、自動印刷機能の禁止が解除された場合、蓄積、転送した文書の印刷を行う画像形成装置およびその制御方法の提供を目的とする。
【課題を解決するための手段】
【００１０】
上記目的を達成するために、請求項１の発明は、警備センタへの警報通知機能を具備する警備システム端末に接続された画像形成装置において、警備システム端末から送信された警報ステータス情報を受信するステータス情報受信手段と、外部から印刷データを受信する印刷データ受信手段と、ステータス情報受信手段で受信した警報ステータス情報に対応して印刷抑制モードに制御する制御手段と、制御手段で印刷抑制モード制御されている状態で印刷データ受信手段により印刷データを受信した場合は、該印刷データを予め設定された転送先へ転送する転送手段とを具備することを特徴とする。
【００１１】
また、請求項２の発明は、請求項１の発明において、転送手段は、印刷データの転送先に応じた該印刷データをフォーマット変換して転送することを特徴とする。
【００１２】
また、請求項３の発明は、請求項１または２の発明において、転送手段は、印刷データの転送先に応じた転送プロトコルで転送することを特徴とする。
【００１３】
また、請求項４の発明は、請求項１及至３のいずれかの発明において、印刷データ受信手段により受信した印刷データを記憶する記憶手段を更に具備し、転送手段は、記憶手段の記憶残量に対応して印刷データの転送を行うか否かの制御を行うことを特徴とする。
【００１４】
また、請求項５の発明は、警備センタへの警報通知機能を具備する警備システム端末に接続され、警備システム端末から送信された警報ステータス情報を受信するステータス情報受信手段と、外部から印刷データを受信する印刷データ受信手段と、ステータス情報受信手段で受信した警報ステータス情報に対応して印刷抑制モードに制御する制御手段とを具備する画像形成装置の制御方法であって、制御手段で印刷抑制モード制御されている状態で印刷データ受信手段により印刷データを受信した場合は、該印刷データを転送手段により予め設定された転送先へ転送することを特徴とする。
【発明の効果】
【００１５】
本発明の画像形成装置およびその制御方法によれば、画像形成装置が発する音、熱、光等に室内設定された各種防犯センサが作動し、セキュリティ会社に連絡が行ってしまう誤警報を防止することができる。
【００１６】
また、自動印刷禁止中に受信したデータを蓄積していくと、新たなデータを蓄積する領域が不足し受信できなくなる状態を回避することができる。
【００１７】
また、蓄積領域が僅少になり、新たな印刷データを受信して蓄積できない状態になった場合、機械の電源をＯＦＦすることにより無駄な電力消費をなくすことができる。
【００１８】
また、自動印刷禁止中に特定の相手や回線から受信した文書を、有人の場所や、閲覧可能な場所等に転送することにより、業務に支障をきたすことを防止することができる。
【００１９】
また、受信した印刷データサイズが一定のサイズを超えた場合、データサイズの大きな文書は転送することで、他のサイズの小さい多くの文書を蓄積することが可能になる。
【００２０】
また、蓄積領域に余裕ができた場合、外部のサーバなどの蓄積領域に転送した文書を自動で取得、印刷することにより、人手による印刷操作が不要となる。
【発明を実施するための最良の形態】
【００２１】
本発明の画像形成装置およびその制御方法の実施の形態について添付図面を参照しながら説明する。
【００２２】
（画像形成装置含むシステム構成）
図１は、本発明の画像形成装置を含む警備システムの例を示すシステム構成図である。  図１において、画像形成装置３００は、警備エリア８３を警備センサ６０にて警備する警備システム端末２０にネットワーク５０経由で接続される。
【００２３】
警備システム端末２０にて警備センサ６０の作動開始操作が行われると、警備システム端末２０は、各画像形成装置３００に対して、警備センサ６０の作動を通知する「警備ステータス（警備センサ対応モード）」を送信する。
【００２４】
画像形成装置３００は、警備ステータスの受信により警備センサ６０の作動が通知されると、警備センサ６０に反応する熱、音、光を発する動作を禁止にする動作モードの切り替え制御を行う。
【００２５】
具体的には、ＦＡＸデータの受信、印刷ジョブの受信による自動印刷機能を禁止にし、省エネルギーモードに移行する省エネルギーモードへの移行、あるいは、電源のＯＦＦ制御を行うことによって、誤警報の発生を防止する印刷抑制機能を有する。
【００２６】
この自動印刷機能を禁止している例えば夜間等において、ファクシミリ装置９３から公衆回線７０を介してＦＡＸデータを受信した場合、あるいは、ネットワーク５０経由でのインターネットファックス、印刷ジョブを受信すると、画像形成装置３００は、予め設定した転送設定に基づいて、転送処理を実施するかいなかを判断し、受信したデータを、ファイルサーバ９１、メールサーバ９２、あるいは、ネットワーク５０を介して通信可能な別の画像形成装置３００に対して転送処理を行い、転送しない場合は、自装置の記憶領域に保存する蓄積処理を行う。
【００２７】
これにより、夜間、休日等、警備システムの警備センサ６０が作動することに伴って、自動印刷機能を禁止に切り替えても、外部からの印刷データ受信を停止することなく転送処理、蓄積処理を行う。
【００２８】
また、転送したデータのうちサーバに転送されて印刷されない文書、あるいは、自装置に蓄積した印刷データを、警備センサ６０の作動解除通知を警備システム端末２０から受信することによって自動印刷機能の禁止が解除された際、転送したデータを転送先からダウンロードして自動印刷したり、保存したデータの自動印刷処理を行う。
【００２９】
（警備システム端末２０の制御構成）
図２は、図１に示した警備システム端末２０の制御構成を示すブロック図である。
【００３０】
警備システム端末２０は、システム制御部２１、通信制御部２２、操作表示部２３、記憶部２５、センサ管理部２６を有する。
【００３１】
システム制御部２１は、警備システム端末２０全体を制御し、各警備センサ６０にて検出される異常を警備センタ装置１０に通知する従来の警備システムの制御機能に加え、警備センサ６０の作動、作動解除を画像形成装置３００に送信する制御を行う。
【００３２】
通信制御部２２は、ＩＰ網通信制御部２２１と、公衆網通信制御部２２２を有する。
【００３３】
ＩＰ網通信制御部２２１は、ネットワーク５０を介して接続される画像形成装置３００に対して警備ステータスの送信を行い、画像形成装置３００から応答データを受信してシステム制御部２１に出力する。
【００３４】
公衆網通信制御部２２２は、公衆回線７０を介して接続される警備センタ装置１０に対して、警備センサ６０の作動通知信号、警備センサ６０の作動解除信号、警備センサ６０による異常検出信号の送信を行う。
【００３５】
操作表示部２３は、警備システム端末２０に対する警備センサ６０の作動操作、警備センサ６０の作動解除操作、警備ステータスを通知する画像形成装置３００の登録、削除操作、登録した画像形成装置３００に対する電源制御情報３１３、動作制御情報３１４の設定操作を行うための入力キー、表示器を有するユーザーインターフェースである。
【００３６】
記憶部２５は、警備システム端末２０を制御するためのシステムパラメータ、制御プログラムを記憶して管理し、特に、警備ステータスを通知する画像形成装置３００を記憶して管理する端末管理情報２５１を記憶する。
【００３７】
端末管理情報２５１は、図３に示すように、警備システム端末２０が警備ステータスを通知する各画像形成装置３００のアドレス情報、装置名称を記録して管理する。
【００３８】
センサ管理部２６は、音、光、熱に反応する警備センサ６０の作動、作動停止を制御するとともに、異常を検出した警備センサ６０の識別情報、および検出内容をシステム制御部２１に出力する。
【００３９】
図４は、図１に示した画像形成装置の制御構成を示すブロック図である。
【００４０】
図４において、画像形成装置３００は、画像形成装置制御部３０１、リモート制御部３０２、通信制御部３０３、画像処理部３０４、画像形成装置記憶部３０５、画像蓄積部３０７、スキャナユニット３０８、プリンタユニット３０９、ＦＡＸユニット３１０、操作パネル３１１、空き記憶容量管理部３２１、文書データ転送制御部３２２を有する。
【００４１】
画像形成装置制御部３０１は、画像形成装置３００全体の制御を行う。
【００４２】
リモート制御部３０２は、警備システム端末２０から受信する警備ステータスの解析を行って、「警備センサ対応モード」、「通常モード」の切り替えをシステム制御部２１に指示する。
【００４３】
通信制御部３０３は、ネットワーク５０経由で接続される警備システム端末２０との間でＴＣＰ／ＩＰによるデータ通信、公衆回線７０を介したファクシミリ通信を制御する。
【００４４】
画像処理部３０４は画像データの符号化、復号化、拡大、縮小処理を行う。
【００４５】
画像形成装置記憶部３０５は、画像形成装置３００の制御パラメータ、制御プログラムを記憶し、特に、警備システム端末２０とデータ通信を行うための宛先情報、電源制御情報３１３、動作制御情報３１４、蓄積文書管理情報３１５、印刷禁止情報３１７、転送制御情報３１８、蓄積制御情報３１９、転送文書管理情報３２０を記憶する。
【００４６】
動作制御情報３１４には、図５（Ａ）に示すように、画像形成装置３００が提供する各機能に対し、「警備センサ対応モード」中での動作の禁止、あるいは、一部の動作を制限するための制御パラメータが記録される。
【００４７】
電源制御情報３１３には、図５（Ｂ）「警備センサ対応モード」に移行した時に、電源ＯＦＦにするか、あるいは、節電モードへの移行であるかを設定し、節電モードへの移行のレベルが複数ある場合には、その電源制御レベルが設定される。
【００４８】
印刷禁止情報３１７には、画像形成装置３００におけるＦＡＸデータの受信、印刷ジョブの受信による用紙への自動印刷処理を禁止するための制御フラグが記録され、「警備センサ対応モード」に移行する際は、この制御フラグが有効にセットされ、自動印刷機能が禁止される。
【００４９】
転送文書管理情報３２０には、例えば、図６に示すように、転送した文書の識別情報、転送先のアドレス、転送後の再取得設定に関する情報、転送、およびダウンロードの際に必要なパスワード、ユーザＩＤ等が記録される。
【００５０】
転送制御情報３１８には、例えば、図７（Ａ）に示すように、画像蓄積部３０７の空き領域のサイズが図７（Ｃ）にて設定されたいずれかのしきい値以下となった場合に転送する印刷データの種別や、個別の転送処理が必要な受信回線、発信元のドメイン、発信者のアドレスの情報が記憶される。
【００５１】
また、図７（Ｂ）に示すように、転送する場合の、転送プロトコル、転送フォーマット、転送先、転送後の再取得の設定情報が記録される。
【００５２】
さらに、図７（Ｄ）に示すように、転送するデータであるかの判断をデータサイズで行う場合の基準が記録される。
【００５３】
蓄積制御情報３１９には、例えば、印刷イメージでの蓄積を受信したデータの種別毎に禁止にする設定情報、受信データの蓄積処理を制限するためのしきい値、印刷イメージでの蓄積が許可されている場合でも、蓄積領域の使用可能な空き領域のサイズによっては、印刷イメージの形式での蓄積を禁止する基準値が設定して記録される。
【００５４】
蓄積文書管理情報３１５には、例えば、図８に示すように、画像蓄積部３０７に蓄積したデータの識別情報、データの格納場所およびデータ名、受信した際の印刷データの種別、蓄積したデータの保存形式が記録される。
【００５５】
スキャナユニット３０８は、所定の解像度にて原稿画像の読み取り処理を行う。
【００５６】
プリンタユニット３０９は、所定の解像度により画像の形成処理を行って、記録紙に対する印刷出力を行う。
【００５７】
ＦＡＸユニット３１０は、画像データの符号化、復号化処理を行い、公衆回線（ＩＳＤＮ網／ＰＳＴＮ網）を介したファクシミリ通信、受信したファクシミリ画像の印刷、ユキャナユニット３０８にて読み取った画像の送信を行う。
【００５８】
操作パネル３１１は、画像形成装置３００に対する各種操作を行うための入力キー、表示器を有するユーザーインターフェースである。
【００５９】
画像処理部３０４は、ＦＡＸデータ、ＰＤＬデータ、インターネットＦＡＸデータのデコード処理を行って印刷する画像データに展開する。
【００６０】
画像形成装置制御部３０１は、印刷禁止情報３１７にて自動印刷機能の禁止が設定されている場合、受信した印刷データ、あるいは、画像処理部３０４にてフォーマット変換された印刷イメージデータを画像蓄積部３０７に保存して蓄積し、蓄積した内容を蓄積文書管理情報３１５に登録する。
【００６１】
空き記憶容量管理部３２１は、画像蓄積部３０７にて使用可能な空き容量を管理する。  印刷データ転送制御部３２２は、受信した印刷データを、転送制御情報３１８に基づいて、転送プロトコル、転送データフォーマットを決定し、転送制御情報３１８にて設定された転送先に対して転送処理を行い、転送内容を、転送文書管理情報３２０に記録する。  転送印刷データ再取得制御部３２３は、転送後、自働印刷機能の禁止が解除されて、メモリ領域に十分な空き領域が確保できる状態になった場合で、転送制御情報３１８において再取得して印刷する設定がある転送データを、転送先からダウンロードして印刷する再取得印刷処理を行う。
【００６２】
なお、転送したファイルがダウンロード処理の対象となるか否かは、ファイル転送処理の際、転送文書管理情報３２０に記録され、転送印刷データ再取得制御部３２３は、転送した各ファイルの再取得設定の内容を転送文書管理情報３２０にてチェックして判断する。
【００６３】
蓄積文書管理情報３１５は、例えば、図８に示すように、蓄積したデータを識別する「蓄積文書ＩＤ」、画像蓄積部３０７における蓄積データの格納領域をするための「データ格納情報」、受信したデータが蓄積される際に、印刷用のページイメージに変換されたか否かを示す「蓄積データ形式」を記憶して管理する。
【００６４】
また、操作パネル３１１は、画像形成装置３００に対して自動印刷機能の禁止、禁止解除の切り替え操作を手動で行い、また、電源制御情報３１３、動作制御情報３１４の設定を行うためのユーザーインターフェースである。
【００６５】
図９は、画像形成装置３００が警備システム端末から２０警備ステータスを受信した場合の動作制御、電源制御の動作例を示すフローチャートである。
【００６６】
画像形成装置３００は、警備システム端末２０から受信した警備ステータスの内容を解析し（Ｓ１０１）、解析した警備ステータスが「警備センサの作動」である場合（Ｓ１０２作動）、画像形成装置３００は、画像形成装置記憶部３０５に記憶される電源制御情報３１３を参照して、電源ＯＦＦにする「停止モード」、あるいは、動作制御情報３１４により一部の機能を抑制した「警備センサ対応モード」のいずれに移行するかを判断する（Ｓ１０３）。
【００６７】
「停止モード」の設定の場合（Ｓ１０３ＹＥＳ）、画像形成装置３００は、「停止モード」へのモード切り替え開始を通知する応答データを警備システム端末２０に送信し（Ｓ１０４）、警備システム端末２０への送信が成功すると、電源制御部３１２により電源ＯＦＦ制御を開始する（Ｓ１０５）。
【００６８】
一方、電源ＯＦＦせずに、「警備センサ対応モード」にて稼動する設定の場合（Ｓ１０３ＮＯ）、画像形成装置３００は、スキャナ機能、コピー機能、印刷データの受信、ＦＡＸデータの受信による用紙への印刷処理が行われている場合は（Ｓ１０６ＹＥＳ）その処理を中止し（Ｓ１０７）、自動印刷機能を禁止する設定を行い（Ｓ１０８）、また、可聴音の音量レベルを０にする設定変更を行い（Ｓ１０９）、電源制御部３１２による省エネルギーモードへの移行を開始し（Ｓ１１０）、省エネルギーモードへの移行が完了すると、警備システム端末２０に「警備センサ対応モード」への移行完了通知を送信する（Ｓ１１１）。
【００６９】
再度、ステップＳ１０２の処理に戻り、警備ステータスが「警備センサの作動解除」である場合（Ｓ１０２解除）、画像形成装置３００は、「警備センサ対応モード」に移行した際に、ファックスラインモニタの音量レベルを変更前の設定レベルに戻し（Ｓ１１２）、自動印刷禁止設定を解除し（Ｓ１１３）、省エネルギーモードの解除を電源制御部３１２に指示し（Ｓ１１４）、「通常モード」への復旧完了通知を警備システム端末２０に送信し（Ｓ１１５）、さらに、蓄積処理、転送処理を行った印刷データの印刷処理を行う（Ｓ１１６）。
【００７０】
図１０は、印刷データの受信制御の動作例を示すフローチャートである。  
画像形成装置３００は、印刷データを受信すると、印刷禁止情報３１７を参照して自動印刷禁止中であるか否かを判断する（Ｓ２０１）。
【００７１】
自動印刷禁止中でない場合（Ｓ２０１ＮＯ）、画像形成装置３００は、受信した印刷データの印刷処理を行う（Ｓ２１４）。
【００７２】
一方、自動印刷機能の禁止中にて印刷データを受信した場合（Ｓ２０１ＹＥＳ）、画像形成装置３００は、画像蓄積部３０７の空き容量をチェックし（Ｓ２０２）、受信した印刷データを転送しなければならない容量しか空きが無く、受信した印刷データの転送が必要な場合（Ｓ２０２ＹＥＳ）、画像形成装置３００は、受信した印刷データの転送処理を行う（Ｓ２０９）。
【００７３】
転送実施レベルではないが（Ｓ２０２ＮＯ）、転送制御情報３１８において、空き容量のサイズによらず、無条件に転送する設定がある場合（Ｓ２０３ＹＥＳ）、画像形成装置３００は、画像形成装置３００は、受信した印刷データを転送制御情報３１８に基づいて、転送処理を行う（Ｓ２０９）。
【００７４】
一方、画像蓄積部３０７の空き容量は、ステップＳ２０２でチェックした転送実施レベル以上に十分な空き容量があり（Ｓ２０２ＮＯ）、無条件の転送設定が無い場合（Ｓ２０３ＮＯ）、画像形成装置３００は、受信した印刷データのサイズチェックを行う（Ｓ２０４）。
【００７５】
受信した印刷データのサイズが転送実施条件に該当するデータサイズの場合（Ｓ２０４ＹＥＳ）、画像形成装置３００は、受信した印刷データを転送制御情報３１８に基づいて、転送処理を行う（Ｓ２０９）。
【００７６】
一方、受信した印刷データのサイズが転送実施条件に該当しないサイズであり（Ｓ２０４ＮＯ）転送処理が設定された特定の回線から受信した印刷データの場合（Ｓ２０５ＹＥＳ）、画像形成装置３００は、印刷データの転送処理を行う（Ｓ２０９）。
【００７７】
一方、受信した印刷データが、転送制御情報３１８に設定された特定のドメインから受信した印刷データである場合（Ｓ２０６ＹＥＳ）、画像形成装置３００は、受信した印刷データの転送処理を行う（Ｓ２０９）。
【００７８】
上記ステップＳ２０６でチェックしたドメイン以外で、転送制御情報３１８に設定された特定のアドレス、あるいは発信元から受信した印刷データの場合（Ｓ２０７ＹＥＳ）、画像形成装置３００は、転送制御情報３１８に設定された特定の発信元に設定された転送先に対する転送条件にて転送処理を行う（Ｓ２０９）。
【００７９】
上記ステップＳ２０３からステップＳ２０７のいずれの条件にも該当しない印刷データの場合（Ｓ２０７ＮＯ）、画像形成装置３００は、受信した印刷データを画像蓄積部３０７に保存する蓄積処理を行うと共に、蓄積処理の内容を蓄積文書管理情報３１５に記録する（Ｓ２０８）。
【００８０】
ステップＳ２０８の蓄積処理を行った後に、改めて、画像蓄積部３０７の空き容量をチェックした場合に蓄積処理も不可能なメモリサイズとなった場合（２１０ＹＥＳ）、画像形成装置３００は、さらに、蓄積制御情報３１９にて電源ＯＦＦ制御が設定されている場合（Ｓ２１１ＹＥＳ）、画像形成装置３００は、電源ＯＦＦ制御を行う（Ｓ２１２）。
【００８１】
電源ＯＦＦ制御が設定されていない場合（Ｓ２１１ＮＯ）、画像形成装置３００は、外部からの印刷データの受信を禁止するモードに移行し、外部から印刷データの送信依頼があった場合は、ビジーを応答する（Ｓ２１３）。
【００８２】
画像蓄積部３０７の使用可能な空き容量が、蓄積可能なレベルである場合（Ｓ２１０ＮＯ）、あるいは、ステップＳ２０９の転送処理完了、あるいは、自動印刷禁止モードでない場合の印刷処理完了後（Ｓ２１４）は、次の印刷データの受信待ちに遷移する。
【００８３】
図１１は、自動印刷禁止モードが解除された際、転送した印刷データにダウンロード設定がある場合の再取得印刷の動作例を示すフローチャートである。
【００８４】
画像形成装置３００は、警備センサ６０の作動解除通知を警備システム端末２０から受信すると（Ｓ３０１ＹＥＳ）、禁止していた自動印刷機能を始め、動作制御情報３１４にて禁止していた禁止動作の解除処理を行い、省エネルギーモード中の場合は、通常モードへの切り替え制御を行い、画像蓄積部３０７に保存したデータを蓄積文書管理情報３１５に基づいて読み出して印刷処理を行う。
【００８５】
印刷禁止情報３１７の空き容量を含み、使用可能な記憶領域のサイズが所定の基準値以上確保できる状態となった場合（Ｓ３０２ＹＥＳ）、画像形成装置３００は、転送文書管理情報３２０を参照し、再取得印刷の設定がある転送データの有無を判断する（Ｓ３０３）。
【００８６】
転送データがある場合（Ｓ３０４ＹＥＳ）、画像形成装置３００は、転送文書管理情報３２０を参照して再取得印刷が必要な転送データの有無を判断し（Ｓ３０５）、再取得印刷の必要がある転送データがある場合は（Ｓ３０５ＹＥＳ）、転送データを転送先から再取得する処理を行い（Ｓ３０６）、転送データ形式に基づいて印刷画像を抽出して印刷処理を行い（Ｓ３０７）、印刷が完了したデータに関する転送情報を転送文書管理情報３２０から削除する（Ｓ３０８）。
【００８７】
転送文書管理情報３２０に再取得印刷が未処理の転送データがある場合（Ｓ３０９ＹＥＳ）、画像形成装置３００は、上記ステップＳ３０６からステップＳ３０８の処理を繰り返して実行する。
【産業上の利用可能性】
【００８８】
本発明の画像形成装置および画像形成装置の制御方法は、警備システムに接続して監視される画像形成装置であり、警備センサの作動に連動して自動印刷機能を禁止にした状態でも、受信した印刷データの送信元、受信した回線によっては、有人の場所あるいは、即時印刷が可能な場所の印刷装置に転送して印刷する必要がある場合、さらには、転送後の再印刷の簡略化が必要な場合に利用可能である。
【図面の簡単な説明】
【００８９】
【図１】本発明の画像形成装置を含む警備システムの例を示すシステム構成図。
【図２】図１に示した警備システム端末の制御構成を示すブロック図。
【図３】端末管理情報のデータ登録例を示すブロック図。
【図４】図１に示した画像形成装置の制御構成を示すブロック図。
【図５】画像形成装置に記憶される動作制御情報、電源制御情報のデータ登録例を示す図。
【図６】画像形成装置に記憶される転送文書管理情報の例を示す図。
【図７】画像形成装置に記憶される転送制御情報の例を示す図。
【図８】蓄積文書管理情報の登録内容の例を示す図。
【図９】画像形成装置が警備ステータスを受信した場合の動作制御、電源制御の動作例を示すフローチャート。
【図１０】画像形成装置による印刷データの受信制御の動作例を示すフローチャート
【図１１】自動印刷禁止モードが解除された際、転送した印刷データにダウンロード設定がある場合の再取得印刷の動作例を示すフローチャート。
【符号の説明】
【００９０】
１０    警備センタ装置
２０    警備システム端末
２１    システム制御部
２２    通信制御部
２２１    ＩＰ網通信制御部
２２２    公衆網通信制御部
２３    操作表示部
２５    記憶部
２５１    端末管理情報
２６    警備センサ管理部
２６１    警備センサ
３００    画像形成装置
３０１    画像形成装置制御部
３０２    リモート制御部
３０３    通信制御部
３０４    画像処理部
３０５    画像形成装置記憶部
３０７    画像蓄積部
３０８    スキャナユニット
３０９    プリンタユニット
３１０    ＦＡＸユニット
３１１    操作パネル
３１２    電源制御部
３１３    電源制御情報
３１４    動作制御情報
３１５    蓄積文書管理情報
３１７    印刷禁止情報
３１８    転送制御情報
３１９    蓄積制御情報
３２０    転送文書管理情報
３２１    空き記憶容量管理部
３２２    印刷データ転送制御部
３２３    転送印刷データ再取得制御部
５０    ネットワーク
６０    警備センサ
７０    公衆回線
８３    警備エリア
９１    ファイルサーバ
９２    メールサーバ
【図１】
2006272619.tif 000003
【図２】
2006272619.tif 000004
【図３】
2006272619.tif 000005
【図４】
2006272619.tif 000006
【図５】
2006272619.tif 000007
【図６】
2006272619.tif 000008
【図７】
2006272619.tif 000009
【図８】
2006272619.tif 000010
【図９】
2006272619.tif 000011
【図１０】
2006272619.tif 000012
【図１１】
2006272619.tif 000013